(57)【要約】      （修正有）【課題】一定方向からのみならず、両方向から同時に、または、交互に風洞や、水道の流動圧力を付与させたり、空気や水等の流体を任意の箇所で加圧できるようにした、並列連結の風杯風車に対する加圧手段と、空気圧縮装置を提供する。【解決手段】各風杯風車の総風杯片を単位として外周に取り付けた、各歯車Ａが噛み合うように、無限軌道状歯車に内接させると共に、一定方向からの流動圧力においてのみならず、同時に相反流動したり、交互に相反流動をする、２列の風洞、または、水道の流動圧力において、各風杯風車が均一に加圧されるようにした。【選択図】図２
2007239730.tif 000002
【特許請求の範囲】
【請求項１】
各風杯風車（９）の総風杯片（３）を単位として外周に取り付けた、各歯車Ａ（５）が噛み合うように、無限軌道状歯車（６）に内接させると共に、一定方向からの流動圧力においてのみならず、同時に相反流動したり、交互に相反流動をする、２列の風洞、または、水道の流動圧力において、各風杯風車（９）が均一に加圧されるようにした、並列連結の風杯風車に対する加圧手段。
【請求項２】
風洞、または、水道を、隔壁Ａ（７）で主列（１）と、従列（２）とに分断し、主列（１）の流動圧力を加圧するため、従列（２）の流動圧力によるプロペラ（１６）回転に連動して、流体圧縮室（１２）で任意の造流手段（２０）を作動させる加圧手段Ａ（１１）、もしくは、従列（２）内の流動圧力、並びに、外界の流動圧力を導入するための回転軸Ｄ（３３）に一体な、風杯風車（９）回転に連動して、任意の造流手段（２０）を作動させる加圧手段Ｂ（３２）を具備した、並列連結の風杯風車に対する加圧手段。
【請求項３】
風洞に供給する圧縮空気を量産するため、空気圧縮室（３６）に両外界の流動圧力を導入する用具となる、回転軸Ｅ（３５）に一体な風杯風車（９）回転に連動して、任意の造流手段（２０）を作動させる加圧手段Ｃ（３４）を複数具備した、空気圧縮装置。
【発明の詳細な説明】
【技術分野】
【０００１】  本発明は、並列連結の風杯風車に対する加圧手段と、空気圧縮装置に関する。
【背景技術】
【０００２】  特開２００６−９７７５
【発明の開示】
【発明が解決しようとする課題】
【０００３】  上記背景技術の一部分を改良して、風洞や、水道の流動圧力を高度利用するための加圧手段と、エネルギー源の提供が求められていた。【０００４】  本発明は、流動が一定方向からのみならず、両方向から同時に、または、交互に、風洞や、水道の流動圧力を付与させたり、空気や水等の流体を任意の箇所で加圧できるようにした、並列連結の風杯風車に対する加圧手段と、空気圧縮装置を提供することを目的とする。
【課題を解決するための手段】
【０００５】  そして、本発明は上記目的を達成するために、各風杯風車の総風杯片を単位として外周に取り付けた、各歯車Ａが噛み合うように、無限軌道状歯車に内接させると共に、一定方向からの流動圧力においてのみならず、同時に相反流動したり、交互に相反流動をする、２列の風洞、または、水道の流動圧力において、各風杯風車が均一に加圧されるようにした。【０００６】  また、第２の課題解決手段は、風洞、または、水道を、隔壁Ａで主列と、従列とに分断し、主列の流動圧力を加圧するため、従列の流動圧力にによるプロペラ回転に連動して、流体圧縮室で任意の造流手段を作動させる加圧手段Ａ、もしくは、従列内の流動圧力、並びに、外界の流動圧力を導入するための回転軸Ｄに一体な、風杯風車回転に連動して、任意の造流手段を作動させる加圧手段Ｂを具備した。【０００７】  更に、第３の課題解決手段は、風洞に供給する圧縮空気を量産するため、空気圧縮室に両外界の流動圧力を導入する用具となる、回転軸Ｅに一体な風杯風車回転に連動して、任意の造流手段を作動させる加圧手段Ｃを複数具備した。【０００８】  上記第１の課題解決手段による作用は次の通りである。すなわち、歯車伝動ににより、どの風杯片に付与された流動圧力も、全風杯風車に対して均一に伝動されるので、主軸に対して均一な回転駆動力が伝動される。【０００９】  また、第２の課題解決手段による作用は、雪害対策として、自然回転、または、電動回転の加圧手段Ｂによる、空気供給が好ましい。【００１０】  更に、第３の課題解決手段による作用は、煙突や車道の側壁等に代替して、空気圧縮室を内蔵し、圧縮された空気を並列連結の風杯風車等に供給するのであるが、排出された空気を、再びリサイクル吸入できるようにすることが好ましい。
【発明の効果】
【００１１】  上述したように、本発明の並列連結の風杯風車に対する加圧手段と、空気圧縮装置を構成したので、以下の効果を奏する。
１、山脈を中心として両側に急傾斜する地形を利点として、連通管方式で複数回、落差を伴う水槽をリサイクル建設するとか、瀬戸内海の如く海流が交互に変転することを利点として活用するとかして、両方向から、または、一定方向からの流動圧力を付与させることにより、複数のミニ発電が期待できる。
２、風は無限な資源であり、多数の加圧手段Ｃを稼動させることにより圧縮空気を量産できるので、ビル風等で都市においてミニ発電が期待できる。
３、自動車の如く一定方向の走行とか、軌道車輌の如く両方向に走行とかの、乗物の走行に伴う流動圧力で自車発電ができる。
４、船舶の走行に伴う水圧力を利用すれば、機関の電化と共に、スクリュー回転に伴う真空化被害が抑制できる。
【発明の実施するための最良の形態】
【００１２】  以下、本発明の実施の形態を図１〜８に基づいて説明する。
【００１３】  図１は、両方向から主列１と従列２に流入した場合の平面説明図であり、図２は、図１、３の正面説明図であり、図３は、一定方向から２列の主列１と従列２に流入した場合の平面説明図である。
【００１４】  そして、図４は、図１、または、図３を２基で構成した場合の側面図であり、図５は、図１、３における加圧手段Ａ１１の拡大図であり、図６は、図１、３における加圧手段Ｂ３２の拡大図である。
【００１５】  更に、図７は、車道の側壁を代替した空気圧縮装置の断面説明図であり、図８は、煙突を代替した空気圧縮装置の断面説明図である。
【００１６】  先づ、図１、３は略同形なので、比較をしながら説明すると、矢印で流動方向を示しており、図１の場合は、両方向から各主列１と、従列２に同時に、または、交互に流入するが、図３の場合には、２列共に各主列１と従列２に対して同方向から流入する。
【００１７】  そして、図１、２において、両主列１と従列２との間に隔壁Ａ７が設けられ、両隔壁Ａ７を貫通した流通孔１０の従列２側に加圧手段Ａ１１と、且つ、従列２を貫通して外界との間に回転軸Ｄ３３を取り付けて伝動する加圧手段Ｂ３２が図示されているが、加圧手段Ａ１１は図５で、加圧手段Ｂ３２は図６で詳細に説明する。
【００１８】  そして、両主列１の中間に、適当な間隙２８を形成するように隔壁Ｂ８を伴って、無限軌道状歯車６に内接して噛み合うように、各風杯風車９の回転軸Ａ４から放射状に取り付けられた支軸２７の先端の総風杯片３を単位として、各外周に歯車Ａ５が各取り付けられている。
【００１９】  そして、図２において、軸受けＡ１３上の回転軸Ａ４の上端で一体な傘歯車Ｂ２６は、主軸２４と一体な傘歯車Ａ２５と噛み合っており、且つ、主列１内の無限軌道状歯車６と共に回転する、各風杯風車９が図示されている。
【００２０】  そして、図１における隔壁Ｂ８の両端が、垂直状に屈折して逆流を防止しているのに対し、図３における隔壁Ｂ８は、一定方向から２列の主列１と、従列２とが共に流入する形状になっている。
【００２１】  更に、図３における隔壁Ｂ８は、向って上方の主列１の流末で、隔壁Ｃ２３によって閉じられ、加圧手段Ａ１１から主列１に圧送される流体が、流入流体と合流して、間隙２８等を過り、全体の加圧力を増大させる。
【００２２】  次に、図４において、主軸２４と一体な傘歯車Ａ２５に噛み合う、両風杯風車９の回転軸Ａ４の先端で、傘歯車Ｂ２６が取り付けられ、且つ、放射状な支軸２７の先端に風杯片３が各取り付けられ、更に、各風杯片３の回転範囲に沿って適当な間隙２８を形成させて、隔壁Ａ７が両主列１と、従列２との間に取り付けられている。
【００２３】  そして、取り付けスペース２９を形成させて、外装板３０が全体を包囲し、且つ、外装板３０の内側に軸受けＢ３１が取り付けられて、回転軸Ａ４を支持している。
【００２４】  次に、図５において、流体圧縮室１２の上流方向上の軸受けＡ１３で、回転摺動をする回転軸Ｂ１４に対し、自然回転、もしくは、電動回転のプロペラ１６と、その後面で一体な同心円の歯車Ｂ１５が取り付けられている。
【００２５】  そして、歯車Ｂ１５と噛み合う、歯車Ｃ１７に内接して一体に取り付けられた吸入管４１が、ベアリング１９を介して流体圧縮室１２内で回転する、任意の造流手段２０を取り付けており、図示された造流手段２０の構造は、回転方向に向って複数の受流口２１が円板２２上に開口して、流体を円板２２の反対方向に圧送するようになっており、圧縮された流体は隔壁Ａ７の流通孔１０から主列１内に圧送される。
【００２６】  次に、図６において、隔壁Ａ７の従列２側に取り付けた軸受けＣ３７に支持される回転軸Ｃ１８が、従列２の外界まで貫通して、その先端で放射状に複数の支軸２７と、風杯片３とを取り付けている。
【００２７】  そして、支軸２７の後面で一体に、同心円の歯車Ｄ３８が、取り付けられ、それに噛み合う複数の歯車Ｃ１７に内接して一体に取り付けた吸入管４１の先端に、ベアリング１９を介して回転自在な、図５の造流手段２０を取り付けて、従列２内の流体を加圧している。
【００２８】  更に、従列２内で回転軸Ｃ１８と一体な歯車Ｅ３９に噛み合う、歯車Ｃ１７に内接して一体に取り付けた吸入管４１が、ベアリング１９を介して回転自在な、図５の造流手段２０を取り付け、主列１内の流体を加圧しているが、前記両者の図５と同様な部分の説明を各省略した。
【００２９】  次に、図７において、空気圧縮室３６の両側面を貫通し、各ベアリンダ１９を介して回転自在な回転軸Ｄ３３が、両外界で複数の支軸２７と、風杯片３とを取り付けている。
【００３０】  そして、両支軸２７の後面で一体な同心円の歯車Ｅ３９が取り付けられ、それに噛み合う複数の歯車Ｃ１７に内接して、一体に取り付けた吸入管４１の先端に、ベアリング１９を介して回転自在な、図５の造流手段２０を取り付けて、空気圧縮室３６内を加圧しているが、図５と同様な部分の説明を省略した。
【００３１】  次に、図８において、煙突４２の側壁に隣接して、同心円の排気室４３の側壁が下部で図２の流末に接続し、排出空気を上昇させており、更に、同心円の空気圧縮室３６の側壁が上壁と共に、図２の流動圧力の供給となるように接続している。
【００３２】  そして、上記の３側壁を貫通して回転軸Ｅ３５が放射状に複数、ベアリング１９を介して回転自在に外界と接しており、回転軸Ｅ３５の両端には複数の支軸２７と風杯片３とが取り付けられている。
【００３３】  そして、各支軸２７の後面と、排気室４３内の回転軸Ｅ３５に一体な、同心円の歯車Ｆ４０が取り付けられ、それに噛み合う複数の歯車Ｃ１７に内接して、一体に取り付けた吸入管４１の先端に、ベアリング１９を介して回転自在な、図５の造流手段２０を取り付けて、空気圧縮室３６内を加圧している。
【００３４】  そして、上記の図５と同様な部分の説明を省略しており、且つ、空気圧縮室３６から放射状の外方の位置に、図２の並列連結の風杯風車４４群が直立して、各圧縮空気を供給される。
【００３５】  そして、各主軸２４は地下で軸受けＤ４６に各支持され、且つ、一体な歯車Ｇ４７と噛み合う、歯車Ｈ４８は中心で発電機の回転軸４９と一体に発電機４５を回転させる。
【図面の簡単な説明】
【００３６】
【図１】両方向から流入した場合の平面図。
【図２】図１、３の正面図。
【図３】一定方向から流入した場合の平面図。
【図４】図１、または、図３を２基で構成した場合の側面図。
【図５】図１、３における加圧手段Ａの拡大図。
【図６】図１、３における加圧手段Ｂの拡大図。
【図７】車道の側壁を代替した空気圧縮装置の断面図。
【図８】煙突を代替した空気圧縮装置の断面図。
【符号の説明】
【００３７】  １  主列
２  従列
３  風杯片
４  回転軸Ａ
５  歯車Ａ
６  無限軌道状歯車
７  隔壁Ａ
８  隔壁Ｂ
９  風杯風車
１０  流通孔
１１  加圧手段Ａ
１２  流体圧縮室
１３  軸受けＡ
１４  回転軸Ｂ
１５  歯車Ｂ
１６  プロペラ
１７  歯車Ｃ
１８  回転軸Ｃ
１９  ベアリング
２０  造流手段
２１  受流口
２２  円板
２３  隔壁Ｃ
２４  主軸
２５  傘歯車Ａ
２６  傘歯車Ｂ
２７  支軸
２８  間隙
２９  取り付けスペース
３０  外装板
３１  軸受けＢ
３２  加圧手段Ｂ
３３  回転軸Ｄ
３４  加圧手段Ｃ
３５  回転軸Ｅ
３６  空気圧縮室
３７  軸受けＣ
３８  歯車Ｄ
３９  歯車Ｅ
４０  歯車Ｆ
４１  吸入管
４２  煙突
４３  排気室
４４  図２の並列連結の風杯風車
４５  発電機
４６  軸受けＤ
４７  歯車Ｇ
４８  歯車Ｈ
４９  発電機の回転軸
【図１】
2007239730.tif 000003
【図２】
2007239730.tif 000004
【図３】
2007239730.tif 000005
【図４】
2007239730.tif 000006
【図５】
2007239730.tif 000007
【図６】
2007239730.tif 000008
【図７】
2007239730.tif 000009
【図８】
2007239730.tif 000010
【手続補正書】
【提出日】平成19年3月12日(2007.3.12)
【手続補正１】
【補正対象書類名】特許請求の範囲
【補正対象項目名】全文
【補正方法】変更
【補正の内容】
【特許請求の範囲】
【請求項１】
回転軸Ａ（４）の、一端で支軸（２７）により放射状に取り付けられた、総風杯片（３）の外周を固定する歯車Ａ（５）と、他端に取り付けられた傘歯車Ａ（２５）に噛み合う傘歯車Ｂ（２６）により、主軸（２４）に伝動する複数の風杯風車（９）の、複数の歯車Ａ（５）を直線状に配置して、無限軌道状歯車（６）に内接して噛み合せることより、一定方向からの流動圧力においてのみならず、同時に相反流動したり、交互に相反流動をする、無限軌道状歯車（６）の両側の２列の風洞、または、水道の流動圧力においても、各風杯風車（９）が均一に加圧されるようにした、並列直結の風杯風車に対する加圧手段。
【請求項２】
複数の風杯風車（９）の総風杯片（３）の外周を固定する、複数の歯車Ａ（５）を直線状に配置して、無限軌道状歯車（６）に内接して噛み合せるようにしたものを流動する風洞、または、水道の両側を隔壁Ａ（７）で主列（１）と、従列（２）とに分断し、主列（１）の流動圧力を加圧するため、従列（２）の流動圧力によるプロペラ（１６）回転に連動して、流体圧縮室（１２）で任意の造流手段（２０）を作動させる拡大図、図５の加圧手段Ａ（１１）、もしくは、従列（２）内の流動圧力、並びに、従列（２））外方の外界の流動圧力を導入するための回転軸Ｄ（３３）に一体な、風杯風車（９）回転に連動して、任意の造流手段（２０）を作動させる、拡大図、図６の加圧手段Ｂ（３２）を具備した、並列連結の風杯風車に対する加圧手段。
【請求項３】
風洞に供給する圧縮空気を量産するため、図７の空気圧縮室（３６）に右方と左方の外界と、図８の空気圧縮室（３６）に中央の煙突（４２）と、右方と左方の外界の流動圧力を導入する用具となる、図７の回転軸Ｄ（３３）と、図８の回転軸Ｅ（３５）に一体な風杯風車（９）回転に連動して、任意の造流手段（２０）を作動させる加圧手段Ｃ（３４）を複数具備した、空気圧縮装置。
【手続補正２】
【補正対象書類名】明細書
【補正対象項目名】０００５
【補正方法】変更
【補正の内容】
【０００５】    そして、本発明は上記目的を達成するために、回転軸Ａの、一端で支軸により放射状に取り付けられた、総風杯片の外周を固定する歯車Ａと、他端に取り付けられた傘歯車Ａに噛み合う傘歯車Ｂにより、主軸に伝動する複数の風杯風車の、複数の歯車Ａを直線状に配置して、無限軌道状歯車に内接して噛み合せることにより、一定方向からの流動圧力においてのみならず、同時に相反流動したり、交互に相反流動をする、無限軌道状歯車の両側の２列の風洞、または、水道の流動圧力においても、各風杯風車が均一に加圧されるようにした。
【手続補正３】
【補正対象書類名】明細書
【補正対象項目名】０００６
【補正方法】変更
【補正の内容】
【０００６】    また、第２の課題解決手段は、複数の風杯風車の総風杯片の外周を固定する、複数の歯車Ａを直線状に配置して、無限軌道状歯車に内接して噛み合うようにしたものを流動する風洞、または、水道の両側を隔壁Ａで主列と従列とに分断し、主列の流動圧力を加圧するため、従列の流動圧力によるプロペラ回転に連動して、流体圧縮室で任意の造流手段を作動させる拡大図、図５の加圧手段Ａ、もしくは、従列内の流動圧力、並びに、従列外方の外界の流動圧力を導入するための回転軸Ｄに一体な風杯風車回転に連動して、任意の造流手段を作動させる、拡大図、図６の加圧手段Ｂを具備した。
【手続補正４】
【補正対象書類名】明細書
【補正対象項目名】０００７
【補正方法】変更
【補正の内容】
【０００７】    更に、第３の課題解決手段は、風洞に供給する圧縮空気を量産するため、図７の空気圧縮室に右方と左方の外界と、図８の空気圧縮室に中央の煙突と、右方と左方の外界の流動圧力を導入する用具となる、図７の回転軸Ｄと、図８の回転軸Ｅに一体な風杯風車回転に連動して、任意の造流手段を作動させる加圧手段Ｃを複数具備した。
【手続補正５】
【補正対象書類名】明細書
【補正対象項目名】００２４
【補正方法】変更
【補正の内容】
【００２４】    次に、図１、図３の両側の隔壁Ａ７の中央を貫通した流通孔１０を包むように、取り付けた、加圧手段Ａ１１の拡大図、図５において、流体圧縮室１２の上流方向上の軸受けＡ１３で、回転摺動をする回転軸Ｂ１４に対し、自然回転、もしくは、電動回転のプロペラ１６と、その後面で一体な同心円の歯車Ｂ１５が取り付けられている。
【手続補正６】
【補正対象書類名】明細書
【補正対象項目名】００２６
【補正方法】変更
【補正の内容】
【００２６】    次に、図１、図３の右下方の隔壁７と外装板３０との両面間に取り付けられた加工手段Ｂ３２の拡大図、図６において、隔壁Ａ７の従列２側に取り付けた軸受けＣ３７に支持される回転軸Ｃ１８が、外装板３０をベアリング１９で回転摺動自在に従列２の外界まで貫通して、その先端で放射状に複数の支軸２７と風杯片３とを取り付けている。
【手続補正７】
【補正対象書類名】明細書
【補正対象項目名】００２９
【補正方法】変更
【補正の内容】
【００２９】    次に、図７において、空気圧縮室３６の面側面を貫通し、各ベアリング１９を介して回転自在な回転軸Ｄ３３が、右方と左方の両外界で複数の支軸２７と、風杯片３とを取り付けている。
【手続補正８】
【補正対象書類名】明細書
【補正対象項目名】００３２
【補正方法】変更
【補正の内容】
【００３２】    そして、上記の３側壁を貫通して回転軸Ｅ３５が放射状に複数、ベアリング１９を介して回転自在に図２との間の外界と接しており、回転軸Ｅ３５の両端には複数の支軸２７と風杯片３とが取り付けられている。
【手続補正９】
【補正対象書類名】図面
【補正対象項目名】図１
【補正方法】変更
【補正の内容】
【図１】
2007239730.tif 000011
【手続補正１０】
【補正対象書類名】図面
【補正対象項目名】図３
【補正方法】変更
【補正の内容】
【図３】
2007239730.tif 000012
【手続補正１１】
【補正対象書類名】図面
【補正対象項目名】図６
【補正方法】変更
【補正の内容】
【図６】
2007239730.tif 000013
【手続補正１２】
【補正対象書類名】図面
【補正対象項目名】図７
【補正方法】変更
【補正の内容】
【図７】
2007239730.tif 000014
【手続補正１３】
【補正対象書類名】図面
【補正対象項目名】図８
【補正方法】変更
【補正の内容】
【図８】
2007239730.tif 000015